(57)【特許請求の範囲】
【請求項１】
ケースと、このケース内に装着され可撓線状刃が巻き付けられるボビンと、前記ケースに形成され前記ボビンに巻き付けられた可撓線状刃が挿通される第１刃通孔及び第２刃通孔とを備え、刈払機の回転部に取り付けて使用される刈刃回転体において、
前記ボビンを前記ケースに伴って回転するように前記ケース内に装着した状態で、前記刈刃回転体を前記回転部に対して着脱できるようにするためのものであって、前記刈刃回転体の略中心に取付具を挿入できるように前記ボビンに設けられた取付孔と、
前記ケース内に設けられ、前記取付孔を回避するように前記ボビンの外面に沿って形成されていると共に、前記第１刃通孔と前記第２刃通孔とを接続する可撓線状刃の挿通路とを備え、
前記ボビンは、前記ケースに対して回動自在であって鍔状部を有し、この鍔状部には前記可撓線状刃が挿通されて係合される係合孔又は係合溝が形成され、前記係合孔又は係合溝は、前記挿通路に設けられ、更に、
可撓線状刃の端部を、前記第１刃通孔に挿入して前記ボビンの前記鍔状部に形成されている前記係合孔又は前記係合溝を含む前記挿通路に通し、前記第２刃通孔から外側に引き出すことができる構成としたことを特徴とする刈刃回転体。
【請求項２】
前記挿通路に設けられ、前記第１刃通孔から挿入された可撓線状刃の端部を前記第２刃通孔に案内する突起又は溝部を含む案内部を備えることを特徴とする請求項１記載の刈刃回転体。
【請求項３】
前記ボビンは、前記ケースに設けられている開口の中心軸に沿う昇降方向に移動自在であり、
前記ボビンが前記ケースに装着された状態で前記刈刃回転体が回転しているときに、前記ボビンを昇降移動させることによって、前記ボビンに巻き付けられている可撓線状刃を前記第１及び第２刃通孔から所定長さだけ繰り出すことができる繰出し機構を備えることを特徴とする請求項１又は２に記載の刈刃回転体。
【請求項４】
前記取付孔の下側開口を覆うカバーを、当該取付孔が形成されている前記ボビンに着脱自在に取り付けたことを特徴とする請求項１乃至３のいずれかに記載の刈刃回転体。
【発明の詳細な説明】
【技術分野】
【０００１】
本発明は、草刈等の刈払作業に使用される携帯用の刈払機に装着される刈刃回転体に関する。
【背景技術】
【０００２】
従来より、草刈等の刈払作業に使用される刈払機として、可撓性を有するコード刃が放射状に延びた刈刃回転体を、操作棹の先端に設けられた回転軸に取り付けたものが提供されている。この刈刃回転体を使用する刈払作業では、エンジン等により回転軸を高速回転させることによって、コード刃が遠心力で刈刃回転体から放射状に延びた状態で回転して草類を撫で斬り状に切断することができる。そして、例えば刈払作業が長時間行われることによって、コード刃が損耗して短くなると、刈刃回転体内に装着されているボビンに巻かれたコード刃を繰り出して刈払作業を継続することができる。
【０００３】
例えば図１４（ａ）、（ｂ）に示す従来の刈刃回転体１は、回転軸２にナット３を締結させて取り付けている（例えば、特許文献１参照）。つまり、回転ケース４を構成するハウジング５の中心に形成された取付孔５ａに回転軸２を挿通して、この回転軸２にナット３を螺合させて締め付けることによって、回転軸２に刈刃回転体１を取り付けている。このハウジング５内には、ボビン６及び切換部材７が装着され、これらボビン６及び切換部材７がハウジング５から外れないように、このハウジング５の下側開口を覆うように、カバー８がハウジング５に係合して取り付けられている。
【０００４】
次に、図１４（ａ）に示す刈刃回転体１を、回転軸２に取り付ける手順を説明する。まず、カバー８をハウジング５から取り外して、ハウジング５内に装着されているボビン６及び切換部材７をハウジングから取り外す。これによって、ハウジング５に形成された取付孔５ａがハウジング５の下側開口から露出するので、この取付孔５ａに回転軸２を上から通してこの回転軸２にナット３を螺合させて締結する。このようにしてハウジング５を回転軸２に取り付けることができる。次に、図１４（ａ）に示すように、ハウジング５にボビン６、切換部材７、及びカバー８を装着することによって、この刈刃回転体１を回転軸２に取り付けることができる。
【０００５】
また、刈刃回転体１を回転軸２から取り外すときは、ハウジング５からカバー８、ボビン６、及び切換部材７を取り外し、そして、ナット３を回転軸２から取り外すことにより行うことができる。
【０００６】
次に、例えば図１４（ａ）に示すように、刈刃回転体１が回転軸２に取り付けられた状態でボビン６にコード刃９を巻き付ける手順を説明する。この場合も上記と同様にして、カバー８、ボビン６、及び切換部材７をハウジング５から取り外してそのボビン６にコード刃９を巻き付ける。次に、コード刃９の両端部を、ハウジング５の周壁に設けられている２つのコード刃取出し口１０にそれぞれ挿通して外側に所定長さだけ引き出す。そして、このコード刃９が巻き付けられたボビン６、切換部材７、及びカバー８をハウジング５に取り付ける。このようにして、ボビン６にコード刃９を巻き付ける作業が終了する。
【特許文献１】特開平６−３０６２６号公報
【発明の開示】
【発明が解決しようとする課題】
【０００７】
しかし、図１４（ａ）に示す従来の刈刃回転体１では、この刈刃回転体１を、回転軸２に取り付けたり取り外すとき、及びボビン６にコード刃９を巻き付けるときに、その都度、カバー８、ボビン６、及び切換部材７をハウジング５から取り外して分解する必要があるし、その分解された刈刃回転体１を組み立てる必要もある。よって、刈払作業のための手間と時間が掛かり、刈払作業を行う時間がその分だけ短縮される。
【０００８】
本発明は、上記のような課題を解決するためになされたものであり、ボビンをケースから取り外すことなく、ボビンをケースに伴って回転するようにケース内に装着した状態で、簡単に短時間で刈刃回転体を、刈払機の回転部に取り付けたり取り外すことができる刈刃回転体を提供することを目的としている。
【課題を解決するための手段】
【０００９】
本発明に係る刈刃回転体は、ケースと、このケース内に装着され可撓線状刃が巻き付けられるボビンと、前記ケースに形成され前記ボビンに巻き付けられた可撓線状刃が挿通される第１刃通孔及び第２刃通孔とを備え、刈払機の回転部に取り付けて使用される刈刃回転体において、前記ボビンを前記ケースに伴って回転するように前記ケース内に装着した状態で、前記刈刃回転体を前記回転部に対して着脱できるようにするために、前記刈刃回転体の略中心に取付具を挿入できるように前記ボビンに設けられた取付孔と、前記ケース内に設けられ、前記取付孔を回避するように前記ボビンの外面に沿って形成されていると共に、前記第１刃通孔と前記第２刃通孔とを接続する可撓線状刃の挿通路とを備え、前記ボビンは、前記ケースに対して回動自在であって鍔状部を有し、この鍔状部には前記可撓線状刃が挿通されて係合される係合孔又は係合溝が形成され、前記係合孔又は係合溝は、前記挿通路に設けられ、更に、可撓線状刃の端部を、前記第１刃通孔に挿入して前記ボビンの前記鍔状部に形成されている前記係合孔又は前記係合溝を含む前記挿通路に通し、前記第２刃通孔から外側に引き出すことができる構成としたことを特徴とするものである。
【００１０】
この発明に係る刈刃回転体を使用して例えば草刈り等の刈払作業をするときは、この刈刃回転体を刈払機の回転部に取り付けて使用することができる。そして、刈刃回転体を刈払機の回転部に取り付けるときは、ボビンがケースに伴って回転するようにボビンをケース内に装着した状態で、この刈刃回転体の略中心に設けられている取付孔に、例えばボルトやナット等の取付具を挿入して刈刃回転体を回転部に取り付けることができる。同様に、上記と逆の手順を行うことによって、このボビンをケースに装着した状態で、回転部に取り付けられている刈刃回転体をこの回転部から取り外すことができる。
【００１１】
ここで、この刈刃回転体を使用して刈払作業をするときは、ボビンに巻き付けられた可撓線状刃の両方の各端部を、第１刃通孔及び第２刃通孔にそれぞれ挿通して、この刈刃回転体の外側に所定長さだけ繰り出すように設定する。この状態で回転部を高速回転させることによって、可撓線状刃の両端部が遠心力で刈刃回転体から放射状に延びた状態で回転して草類を撫で斬り状に切断することができる。そして、例えば刈払作業によって可撓線状刃が損耗して短くなると、ボビンに巻かれた可撓線状刃を繰り出して刈払作業を継続することができる。
【００１３】
そして、この刈刃回転体のボビンに可撓線状刃を巻き付けるときは、ボビンをケース内に装着した状態で、まず、可撓線状刃の端部を、第１刃通孔に挿入してボビンの鍔状部に形成されている係合孔又は係合溝を含む挿通路に通し、しかる後に、第２刃通孔から外側に引き出す。次に、例えばこれら第１及び第２刃通孔から引き出された可撓線状刃の各端部の長さを揃えて、作業者がボビンを所定方向に回転させる。これによって、可撓線状刃をボビンに巻き付けることができる。そして、可撓線状刃の両方の各端部を第１及び第２刃通孔から所定長さだけ引き出した状態にする。このようにして、ボビンに可撓線状刃を巻き付けることができる。
【００１４】
なお、ボビンに可撓線状刃を巻き付けた後で、刈刃回転体を刈払機の回転部に取り付けて刈払作業を行うことができるし、刈刃回転体を刈払機の回転部に取り付けた後で、ボビンに可撓線状刃を巻き付けて刈払作業を行うことができる。
【００１５】
また、この発明に係る刈刃回転体において、前記挿通路に設けられ、前記第１刃通孔から挿入された可撓線状刃の端部を前記第２刃通孔に案内する突起又は溝部を含む案内部を備えるようにできる。
【００１６】
このようにすると、可撓線状刃をボビンに巻き付けるために、その端部を第１刃通孔から挿入して挿通路に通したときに、その端部を突起又は溝部を含む案内部によって案内することができ、従って、可撓線状刃の端部を確実に第２刃通孔から引き出せるようにすることができる。これによって、可撓線状刃を簡単にボビンに巻き付けることができる。
【００１７】
更に、この発明に係る刈刃回転体において、前記ボビンは、前記ケースに設けられている開口の中心軸に沿う昇降方向に移動自在であり、前記ボビンが前記ケースに装着された状態で前記刈刃回転体が回転しているときに、前記ボビンを昇降移動させることによって、前記ボビンに巻き付けられている可撓線状刃を前記第１及び第２刃通孔から所定長さだけ繰り出すことができる繰出し機構を備えるようにできる。
【００１８】
このようにすると、例えば刈払作業中に、刈刃回転体の第１及び第２刃通孔から繰り出されている可撓線状刃が損耗して短くなったときに、ボビンがケースに装着された状態で刈刃回転体が回転しているときに、作業者がボビンを昇降移動させることによって、ボビンに巻き付けられている可撓線状刃を第１及び第２刃通孔から所定長さだけ繰り出すことができる。よって、刈払機を停止させることなく、しかもボビンをケースから取り外す作業をせずに、刈払作業を継続しながら可撓線状刃を繰り出すことができる。
【００１９】
更に、この発明に係る刈刃回転体において、前記取付孔の下側開口を覆うカバーを、当該取付孔が形成されている前記ボビンに着脱自在に取り付けるようにできる。
【００２０】
このようにすると、刈払作業中に、取付孔の下側開口から例えば泥や土がこの取付孔内に進入することを防止できる。これによって、取付孔内に配置されるこの刈刃回転体の取付具の腐食や損傷等を防止できる。
【発明の効果】
【００２１】
この発明に係る刈刃回転体によると、ボビンをケースから取り外すことなく、ボビンがケースに伴って回転するようにケース内に装着した状態で、簡単に短時間で刈刃回転体を刈払機の回転部に対して着脱することができる構成としてある。従って、刈払作業のために、刈刃回転体を刈払機の回転部に着脱する手間と時間を削減でき、刈払作業を行う時間をその分だけ長い時間を確保できる。
【発明を実施するための最良の形態】
【００２２】
以下、本発明に係る刈刃回転体の一実施形態を、図１〜図１３を参照して説明する。この刈刃回転体１１は、図１及び図５に示すように、草刈等の刈払作業に使用される可搬式の刈払機１２の回転軸（回転部）１３に取り付けて使用されるものであり、草等を刈るための切刃としての可撓線状刃（例えばナイロン製のコード刃）１４が装着されて使用される。この刈刃回転体１１は、図３（ａ）、（ｂ）及び図４の平面図、正面図、及び底面図に示すように、外観が円盤状体である。そして、図１、図２、及び図５に示すように、刈刃回転体１１は、上ケース１５及び下ケース１６と、この上ケース１５及び下ケース１６で形成される環状空間に可撓線状刃１４が巻き付けられるボビン１７と、このボビン１７の下端部に形成されている操作部１８に着脱自在に取り付けられているカバー１９とを備えている。
【００２３】
上ケース１５は、図１及び図５に示すように、合成樹脂製のケース本体２０と、回転軸１３を貫通させるための軸通孔２４ａを有する金属製の取付座２４を備えている
ケース本体２０は、図５（ａ）、（ｂ）に示すように、円環状の上壁部２０ａと、上壁部２０ａの外周縁部から下方に延びる短円筒状の外筒壁部２０ｂと、上壁部２０ａの内周縁部から下方に延びる短円筒状の内筒壁部２０ｃとを有し、これら上壁部２０ａ、外筒壁部２０ｂ、内筒壁部２０ｃ、及び後述する下ケース１６によって環状空間が形成されている。
【００２４】
そして、外筒壁部２０ｂには、それぞれ略矩形の枠状に形成された金属製の第１案内体２１及び第２案内体２２が装着され、これら各第１及び第２案内体２１、２２には、それぞれ第１刃通孔２１ａ及び第２刃通孔２２ａが形成されている。これら各第１刃通孔２１ａ及び第２刃通孔２２ａは、可撓線状刃１４を外側に引き出すことができるものである。
【００２５】
第１及び第２案内体２１、２２は、図５（ａ）に示すように、外筒壁部２０ｂの互いに対向する箇所に取り付けられている。また、この外筒壁部２０ｂには、図５（ｂ）に示すように、上ケース１５と下ケース１６とを係合させるための２つの第１ロック片２３、２３が形成されている。
【００２６】
取付座２４は、図５（ａ）、（ｂ）に示すように、中心に軸通孔２４ａを有する円板状体であり、内筒壁部２０ｃの上端部に固定して取り付けられている。
【００２７】
下ケース１６は、合成樹脂製であり、図５（ｂ）に示すように、円板状の底壁部２５を有し、その中心には開口２５ａが形成されている。ボビン１７の操作部１８は、この開口２５ａに挿通して外側下方に突出している。そして、下ケース１６の外周部には、上ケース１５に設けられている２つの第１ロック片２３、２３が係合される２つの第１被ロック部２６、２６が形成されている。また、図１及び図５（ａ）に示すように、底壁部２５の外周部には、鉛直上方に向かって延びる中間壁部２７が２箇所に形成されている（２つの第１被ロック部２６が形成されていない部分）。これら各中間壁部２７に第１及び第２案内体２１、２２がそれぞれ装着されている。
【００２８】
ボビン１７は、合成樹脂製であり、図６及び図７に示すように、刃巻部２８と、操作部１８とを備えている。刃巻部２８は、短円筒状の巻付け部２９を有し、この巻付け部２９の外周面に上鍔状部３０、中鍔状部３１、及び下鍔状部３２が設けられている。この上鍔状部３０は、巻付け部２９の上端部に配置され、中鍔状部３１は巻付け部２９の中央に配置されている。そして、下鍔状部３２は、巻付け部２９の下端部に配置されている。また、巻付け部２９は、図５（ａ）に示すように、その上端開口内に上ケース１５の内筒壁部２０ｃが嵌合されるように形成されている。
【００２９】
また、中鍔状部３１は、図６（ａ）、（ｂ）、（ｃ）に示すように、２つの上段部３３と、２つの下段部３４を備えている。これら上段部３３及び下段部３４は、中鍔状部３１の周方向に沿って交互に配置され、それぞれが約９０度ずつの範囲に亘って形成されている。そして、図６（ａ）の平面図に示すように、時計方向のコード巻き方向において、２つの各下段部３４から各上段部３３に移り変わる２つの各傾斜部３５には、係合孔３６が形成されている。
【００３０】
この２つの係合孔３６は、図８に示すように、第１刃通孔２１ａ（又は第２刃通孔２２ａ）から挿入された可撓線状刃１４を挿通するためのものであり、この係合孔３６に通された可撓線状刃１４は、第２刃通孔２２ａ（又は第１刃通孔２１ａ）に通されて外側に引き出される。２つの各係合孔３６は、可撓線状刃１４を挿通することができる十分な大きさに形成されている。ただし、各傾斜部３５に係合孔３６を形成したが、これに代えて、係合溝（図示せず）を形成してもよい。この係合溝は、中鍔状部３１の外周縁側に開口する形状である。
【００３１】
つまり、図８に示すように、第１案内体２１と第２案内体２２との略中間位置に係合孔３６が配置されるようにボビン１７を回転移動させた状態で、第１刃通孔２１ａと第２刃通孔２２ａとを接続するように、刈刃回転体１１内には、可撓線状刃１４の挿通路３７が形成されている。この挿通路３７は、第１挿通路３８、係合孔３６、及び第２挿通路３９を備えている。第１挿通路３８は、ボビン１７の上鍔状部３０の下面、中鍔状部３１の下段部３４の上面、巻付け部２９の外面、上ケース１５の外筒壁部２０ｂの内面、及び下ケース１６の中間壁部２７の内面によって形成されている。第２挿通路３９は、中鍔状部３１の上段部３３の下面、下鍔状部３２の上面、巻付け部２９の外面、上ケース１５の外筒壁部２０ｂの内面、及び下ケース１６の中間壁部２７の内面によって形成されている。
【００３２】
また、図８及び図１に示すように、下ケース１６の２つの各中間壁部２７の内面には、案内部４０が設けられている。この案内部４０は、第１刃通孔２１ａ（又は第２刃通孔２２ａ）から挿入されて係合孔３６を通り抜けてきた可撓線状刃１４の先端部を第２刃通孔２２ａ（又は第１刃通孔２１ａ）に案内するためのものであり、突起の傾斜上縁として形成されている。この案内部４０（傾斜上縁）が、可撓線状刃１４の先端部を第２刃通孔２２ａに案内することができる。
【００３３】
ただし、案内部４０を突起として形成したが、溝部（図示せず）として形成してもよい。案内部４０を溝部とするときは、図８に示すように、係合孔３６を通り抜けてきた可撓線状刃１４の先端部が中間壁部２７の内面に当接したときに、その先端部を第２刃通孔２２ａ（又は第１刃通孔２１ａ）に向かうように、図８に示す案内部４０を設けると共に、この案内部４０と間隔を隔ててその上方位置に別個の上部案内部を設けるようにするとよい。このようにすると、可撓線状刃１４の先端部が中間壁部２７の内面に当接したときに、その先端部が上下方向にずれないようにして第２刃通孔２２ａ（又は第１刃通孔２１ａ）に案内することができ、可撓線状刃１４の先端部を確実に第２刃通孔２２ａ（又は第１刃通孔２１ａ）に挿通させることができる。
【００３４】
次に、図５（ａ）、（ｂ）等を参照して、ボビン１７の下端部に設けられている操作部１８を説明する。操作部１８は、外筒壁部１８ａと、内筒壁部１８ｂとを備えており、これら外筒壁部１８ａ及び内筒壁部１８ｂの下端部は互いに結合している。外筒壁部１８ａは、略短円筒形状であり、その上端部が巻付け部２９の下端部と結合しており、下ケース１６の円形開口２５ａに挿通して外側下方に突出している。そして、内筒壁部１８ｂは、図６（ａ）に示すように略短六角筒形状であり、内孔である取付孔４１には、カバー１９の中央上面に突設されている連結筒４２が嵌合している。この取付孔４１は、回転軸（雄ねじが形成されている軸）１３に螺合するナット等の取付具４３が通る大きさに形成されている。また、連結筒４２は、略短六角筒形状である。
【００３５】
次に、この刈刃回転体１１が備える可撓線状刃１４の繰出し機構４４を図１及び図２を参照して説明する。この繰出し機構４４は、それぞれ複数の上係止爪４５、下係止爪４６、上規制爪４７、及び下規制爪４８を備えている。
【００３６】
複数の上係止爪４５は、図１に示すように、上鍔状部３０の上面の内周縁部に沿って所定のピッチで突設されている。そして、これら複数のそれぞれの上係止爪４５と係合されるように、図２（ｂ）に示すように、上ケース１５の上壁部２０ａの下面に複数の上規制爪４７が突設されている。
【００３７】
複数の下係止爪４６は、図２（ａ）に示すように、下鍔状部３２の下面の内周縁部に沿って所定のピッチで突設されている。これら複数の下係止爪４６は、上係止爪４５に対して周方向に所定寸法（角度）だけずらした状態で配置されている。そして、これら複数のそれぞれの下係止爪４６と係合されるように、図１に示すように、下ケース１６の底壁部２５の上面に複数の下規制爪４８が突設されている。これら上係止爪４５、下係止爪４６、上規制爪４７、及び下規制爪４８のそれぞれのピッチは同一である。
【００３８】
このように形成された図５（ａ）、（ｂ）に示すボビン１７は、互いに係合する上ケース１５及び下ケース１６に対して、回転軸１３を中心にして回動自在であって、回転軸１３と平行する上下方向に移動自在となっている。
【００３９】
そして、操作部１８の外筒壁部１８ａと内筒壁部１８ｂとの間に形成されている円環状の溝には、第１ばね４９の下端部が装着され、この第１ばね４９の上端部は、取付座２４の下面に当接している。この第１ばね４９のばね力によって、ボビン１７が下方に付勢されて、図５（ａ）、（ｂ）に示す下降位置に移動している。
【００４０】
ボビン１７が下降位置に移動しているときは、図５（ａ）、（ｂ）に示すように、ボビン１７の下鍔状部３２の下面が下ケース１６の上面と当接し、ボビン１７の下係止爪４６が下ケース１６の下規制爪４８と係合できる状態となっている。そして、ボビン１７の上鍔状部３０の上面が上ケース１５の上壁部２０ａの下面から引き離されており、ボビン１７の上係止爪４５が上ケース１５の上規制爪４７と係合できない状態となっている。
【００４１】
そして、図１１に示すように、操作部１８を、第１ばね４９のばね力に抗して下から押圧して上昇位置に移動させると、ボビン１７の下鍔状部３２の下面が下ケース１６の上面から引き離され、ボビン１７の下係止爪４６が下ケース１６の下規制爪４８と係合できない状態となる。そして、ボビン１７の上鍔状部３０の上面が上ケース１５の上壁部２０ａの下面と接近しており、ボビン１７の上係止爪４５が上ケース１５の上規制爪４７と係合できる状態となる。
【００４２】
次に、図５、図９及び図１０等を参照して、ボビン１７の操作部１８に装着されているカバー１９を説明する。このカバー１９は、操作部１８に対して着脱自在であり、図５（ａ）は、カバー１９を操作部１８に装着した状態を示し、図９（ｂ）は、カバー１９を操作部１８から取り外した状態を示している。カバー１９は、図５（ａ）に示すように、下ケース１６よりも少し大きい円板状のカバー本体５０を有し、このカバー本体５０の中心に開口５０ａが形成されている。また、カバー１９には、カバー本体５０を操作部１８に対して着脱するためのカバー着脱機構５１を備えている。
【００４３】
カバー着脱機構５１は、図５（ａ）に示すように、連結筒４２、第２ロック片５２、第２被ロック部５３、解除部５４、及び解除凸部５５を備えている。
【００４４】
連結筒４２は、カバー本体５０の略中心に形成された開口縁部の上面に設けられ、短六角筒形状に形成されている。この連結筒４２の側壁には、例えば３つの矩形の開口が周方向に１２０°間隔で形成されている。これら各開口を形成する上縁部が第２被ロック部５３である。そして、これら３つの各第２被ロック部５３と係合するように、操作部１８の内筒壁部１８ｂには、３つの第２ロック片５２が形成されている。
【００４５】
また、図９（ａ）、（ｂ）に示すように、連結筒４２内には、略短円柱形の解除部５４が昇降自在に配置されている。この解除部５４の外周面の３箇所には、解除凸部５５が設けられている。これら３つの解除凸部５５は、図９（ａ）に示すように、解除部５４を下降位置から上昇位置に移動させることによって、３つの各第２被ロック部５３に係合する３つの各第２ロック片５２を各第２被ロック部５３から解除することができるものである。この解除された状態で、図９（ｂ）に示すように、カバー１９を下方に移動させて操作部１８から取り外すことができる。
【００４６】
なお、図５（ａ）に示すように、刈払作業中に解除凸部５５が下降位置から上昇位置に移動することを防止するために、解除凸部５５を下降位置に付勢するための第２ばね５６が設けられている。第２ばね５６は、下端部が解除部５４の上面に形成された凹部に装着され、上端部が回転軸１３に螺合するナット等の取付具４３に当接している。
【００４７】
上記のように構成された刈刃回転体１１を使用して例えば草刈り等の刈払作業をするときは、図５（ａ）、（ｂ）に示すように、この刈刃回転体１１を刈払機１２の回転軸１３に取り付けて使用することができる。そして、刈刃回転体１１を刈払機１２の回転軸１３に取り付けるときは、例えばまず、図９（ａ）に示すように、ボビン１７が互いに係合する上ケース１５及び下ケース１６に伴って回転するようにボビン１７を上下のケース１５、１６内に装着した状態で、作業者がカバー着脱機構５１を操作してカバー１９をボビン１７の操作部１８から取り外す。
【００４８】
つまり、作業者は、ボビン１７を上下のケース１５、１６から取り外す必要がないが、カバー１９を上下のケース１５、１６から取り外す必要がある。まず、図９（ａ）に示すように、作業者は、下降位置にある解除部５４を、第２ばね５６のばね力に抗して指等で押し上げて上昇位置に移動させる。解除部５４を上昇位置に移動させると、解除凸部５５が第２被ロック部５３に係合する第２ロック片５２を外方に押し拡げて非係合状態にすることができる。そして、この状態で、図９（ａ）に示すように、カバー１９を引き下げることによってカバー１９の連結筒４２をボビン１７の操作部１８から引き抜くことができ、カバー１９を取り外すことができる（図９（ｂ））。
【００４９】
次に、図１０に示すように、上ケース１５に形成されている軸通孔２４ａに刈払機１２の回転軸１３を挿通し、更に、ボビン１７の操作部１８に形成されている取付孔４１内に、その下方からナット等の取付具４３を挿入してその取付具４３を回転軸（雄ねじ部）１３に螺合させて締結する。これによって、カバー１９が取り外されている刈刃回転体１１を刈払機１２の回転軸１３に取り付けることができる。
【００５０】
次に、図１０及び図１１に示すように、カバー１９の連結筒４２を操作部１８に形成されている取付孔４１に下方から挿入して、第２ロック片５２を第２被ロック部５３に係合させることによって係合状態にすることができる。このようにして、ボビン１７が互いに係合する上下のケース１５、１６に伴って回転するように、ボビン１７を上下のケース１５、１６内に装着した状態で、刈刃回転体１１を回転軸１３に取り付けることができる。
【００５１】
同様に、上記と逆の手順を行うことによって、このボビン１７が、互いに係合する上下のケース１５、１６内に装着されている状態で、回転軸１３に取り付けられている刈刃回転体１１をこの回転軸１３から取り外すことができる。よって、刈払作業のために、刈刃回転体１１を刈払機１２の回転軸１３に着脱する手間と時間を削減でき、刈払作業を行う時間をその分だけ長い時間を確保できる。
【００５２】
次に、この刈刃回転体１１を使用して刈払作業をするときは、図８に示すように、この可撓線状刃１４の両方の各端部を、第１刃通孔２１ａ及び第２刃通孔２２ａから引き出した状態にして、可撓線状刃１４をボビン１７に巻き付ける。そして、可撓線状刃１４の両端部を、この刈刃回転体１１の外側に所定長さだけ引き出した状態に設定する。
【００５３】
なお、刈刃回転体１１のボビン１７に対する可撓線状刃１４の巻付けは、例えば図５に示すように、刈刃回転体１１を刈払機１２の回転軸１３に取り付けた状態で行うことができるし、図３（ａ）、（ｂ）に示すように、刈刃回転体１１を刈払機１２の回転軸１３から取り外した状態で行うこともできる。
【００５４】
つまり、まず、図８に示すように（図８は、上ケース１５及びカバー１９を省略した状態を示す刈刃回転体１１の一部省略斜視図である。）、ボビン１７を、互いに係合する上下のケース１５、１６内に装着した状態であって、係合孔３６が第１刃通孔２１ａと第２刃通孔２２ａとの間の略中間位置に配置されるように、作業者がカバー１９を所定の可撓線状刃１４の巻き方向（図６（ａ）に示すコード巻き方向）に回転させる。
【００５５】
なお、カバー１９を所定の可撓線状刃１４の巻き方向に回転させるときは、図５（ａ）に示すカバー１９を第１ばね４９のばね力に抗して少し押し上げて、下係止爪４６と下規制爪４８とを非係合状態にする。このとき、上係止爪４５と上規制爪４７との非係合状態を維持するようにする。
【００５６】
次に、図８に示すように、作業者が第１刃通孔２１ａから第１挿通路３８内を覗きながら、可撓線状刃１４の端部を、第１刃通孔２１ａに挿入してボビン１７の上鍔状部３０と中鍔状部３１との間に形成されている第１挿通路３８に挿通する。更に、可撓線状刃１４の端部を、中鍔状部３１に形成されている係合孔３６に通して、中鍔状部３１と下鍔状部３２との間に形成されている第２挿通路３９に挿通する。そして、可撓線状刃１４の端部を、下ケース１６の中間壁部２７の内面に当接させて、この内面に形成された案内部４０に案内させて第２刃通孔２２ａから外側に引き出すようにする。
【００５７】
このように、可撓線状刃１４の端部を案内部４０によって案内することができるので、可撓線状刃１４の端部を確実に第２刃通孔２２ａから引き出すことができる。これによって、可撓線状刃１４をボビン１７に巻き付ける状態にすることができる。
【００５８】
次に、これら第１及び第２刃通孔２１ａ、２２ａから引き出された可撓線状刃１４の各端部の長さを揃えて、作業者が、上記と同様にしてカバー１９を所定の可撓線状刃１４の巻き方向に回転させる。このとき、図８に示すように、可撓線状刃１４は、係合孔３６に挿通しているので、カバー１９を所定の可撓線状刃１４の巻き方向と逆方向に回転させると、第１刃通孔２１ａから引き出されている側の部分は、上鍔状部３０と中鍔状部３１との間に巻き付けることができる。そして、第２刃通孔２２ａから引き出されている側の部分は、中鍔状部３１と下鍔状部３２との間に巻き付けることができる。
【００５９】
このようにして、可撓線状刃１４の両方の各端部を第１及び第２刃通孔２１ａ、２２ａから所定長さだけ引き出した状態にして、この刈刃回転体１１を刈払機１２の回転軸１３に取り付けて刈払作業に使用することができる。
【００６０】
この状態で回転軸１３を、図３（ａ）に示す回転方向に高速回転させることによって、可撓線状刃１４の両端部が遠心力で刈刃回転体１１から放射状に延びた状態で回転して草類を撫で斬り状に切断することができる。
【００６１】
次に、図５（ａ）、図１１、図１２及び図１３等を参照して、この刈刃回転体１１が備える可撓線状刃１４の繰出し機構４４、及び刈刃回転体１１が回転する原理を説明する。この繰出し機構４４は、図５（ａ）に示すように、例えば刈払作業によって、第１及び第２刃通孔２１ａ、２２ａから引き出されている可撓線状刃１４のそれぞれの端部が損耗して短くなったときに、刈払機１２を停止させずにボビン１７に巻かれた可撓線状刃１４を自動的に繰り出して刈払作業を継続することができるようにするものである。
【００６２】
図５（ａ）は、刈払作業を行うことができる状態であり、図１２（ａ）は、図５（ａ）の状態を模式的に表している。ボビン１７は、第１ばね４９のばね力によって下降位置に移動しており、下係止爪４６と下規制爪４８とが互いに係合して係合状態となっている。このようにボビン１７が下降位置の状態では、刈払機１２の回転軸１３の回転力が上ケース１５、下ケース１６、下規制爪４８、及び下係止爪４６に伝達され、ボビン１７、上ケース１５、及び下ケース１６を高速で回転させて刈払作業をすることができる。
【００６３】
次に、第１及び第２刃通孔２１ａ、２２ａから引き出されている可撓線状刃１４のそれぞれの端部が損耗して短くなったときは、図１１に示すように（図１２（ｂ）は、図１１の状態を模式的に表している。）、この刈払回転体１１が高速で回転する状態で、刈刃回転体１１の下面に取り付けられているカバー１９を地面に叩きつける。これによって、ボビン１７が第１ばね４９のばね力に抗して下降位置から上昇位置に移動するので、下係止爪４６と下規制爪４８とが非係合状態となって、上下のケース１５、１６の回転がボビン１７に伝達されない状態となり、上下のケース１５、１６が高速で回転し続けるが、ボビン１７は減速して低速回転となる。ただし、この際に上係止爪４５と上規制爪４７とが互いに係合可能な状態となる。
【００６４】
図１３（ａ）は、上下のケース１５、１６の回転位置が、ボビン１７の回転位置よりもＰ１だけ進んだ状態を示している。これによって、ボビン１７に巻き付けられている可撓線状刃１４の端部が、自動的に所定長さＰ１に対応する長さだけ第１及び第２刃通孔２１ａ、２２ａからそれぞれ繰り出される。ただし、図１３（ａ）に示すように、上下のケース１５、１６の回転位置が、ボビン１７の回転位置よりもＰ１だけ進んだ状態で、上係止爪４５と上規制爪４７とが互いに係合して、上下のケース１５、１６とボビン１７とが同一の高速度で回転するので、可撓線状刃１４の端部が、所定長さ以上に第１及び第２刃通孔２１ａ、２２ａから繰り出されないようにすることができる。
【００６５】
図１３（ｂ）は、カバー１９が地面から引き離されて、カバー１９が第１ばね４９のばね力によって上昇位置から下降位置に移動した状態を示している（図５（ａ）参照）。この状態では、上係止爪４５と上規制爪４７とが非係合状態となるが、下係止爪４６と下規制爪４８とが係合可能な状態となり、図１２（ａ）に示すように、下係止爪４６と下規制爪４８とが係合することによって、上下のケース１５、１６に伴って、ボビン１７が高速で回転することができる。
【００６６】
このようにして、ボビン１７を上下のケース１５、１６から取り外す作業をせずに、ボビン１７に巻き付けられている可撓線状刃１４の端部を、自動的に所定長さだけ第１及び第２刃通孔２１ａ、２２ａからそれぞれ繰り出させることができ、刈払作業を継続して行うことができる。
【００６７】
また、図５（ａ）に示すように、刈刃回転体１１の下面に開口する取付孔４１を覆うように、カバー１９をこの取付孔４１に取り付けているので、刈払作業中に、取付孔４１の下側開口から例えば泥や土がこの取付孔４１内に進入することを防止できる。これによって、取付孔４１内に配置されるこの刈刃回転体１１のナット等の取付具４３、及び回転軸１３の腐食や損傷等を防止できる。
【００６８】
ただし、上記実施形態では、図５（ａ）に示すように、可撓線状刃１４の繰出し機構４４を設けて自動的に可撓線状刃１４の端部を繰り出すことができる構成としたが、これ以外の繰り出し機構を設けた構成としてもよい。
【００６９】
そして、上記実施形態では、図５（ａ）に示すように、刈刃回転体１１の下面にカバー１９を着脱自在に取り付けた構成としたが、このカバー１９を省略してもよい。
【００７０】
また、上記実施形態では、図５（ａ）に示すように、刈払機１２の回転軸（雄ねじ部）１３にナット等の取付具４３を螺合させることによって、この刈刃回転体１１を刈払機１２に取り付ける例を示したが、これ以外にも、刈払機１２の回転軸（雌ねじ部）にボルトを螺合させることによって、刈刃回転体を回転軸に取り付ける構成の刈払機に本発明を適用することができる。
【産業上の利用可能性】
【００７１】
以上のように、本発明に係る刈刃回転体は、ボビンをケースから取り外すことなく、ボビンをケースに伴って回転するようにケース内に装着した状態で、簡単に短時間で刈刃回転体を、刈払機の回転部に取り付けたり取り外すことができる優れた効果を有し、このような刈刃回転体に適用するのに適している。
【図面の簡単な説明】
【００７２】
【図１】この発明の一実施形態に係る刈刃回転体を示す分解斜視図である。
【図２】同実施形態に係る刈刃回転体が備えるボビン及び上ケースを示す図であり、（ａ）はボビンの斜視図、（ｂ）は上ケースの斜視図である。
【図３】同実施形態に係る刈刃回転体を示す図であり、（ａ）は平面図、（ｂ）は正面図である。
【図４】同実施形態に係る刈刃回転体を示す底面図である。
【図５】同実施形態に係る刈刃回転体を示す図であり、（ａ）はＡ−Ａ断面図、（ｂ）はＢ−Ｂ断面図である。
【図６】同実施形態に係る刈刃回転体が備えるボビンを示す図であり、（ａ）は平面図、（ｂ）は正面図、（ｃ）は右側面図である。
【図７】同実施形態に係る刈刃回転体が備えるボビンを示す図であり、（ａ）はＣ−Ｃ断面図、（ｂ）はＤ−Ｄ断面図である。
【図８】同実施形態に係る刈刃回転体に可撓線状刃を挿通する作業を説明するための刈刃回転体の部分省略斜視図である。
【図９】同実施形態に係る刈刃回転体からカバーを取り外す手順を説明するための図であり、（ａ）はカバーの解除部を押し上げた状態を示す刈刃回転体の縦断面図、（ｂ）はカバーを刈刃回転体から取り外した状態を示す刈刃回転体の縦断面図である。
【図１０】同実施形態に係る刈刃回転体にカバーを取り付ける状態を示す刈刃回転体の縦断面図である。
【図１１】同実施形態に係る刈刃回転体のカバー及びボビンが上昇位置に移動した状態を示す縦断面図である。
【図１２】同実施形態に係る刈刃回転体が備える可撓線状刃の繰出し機構を説明するための図であり、（ａ）はボビンが下降位置にあり、下係止爪と下規制爪との係合状態を示す模式図、（ｂ）はボビンが上昇位置にあり、下係止爪と下規制爪との非係合状態を示す模式図である。
【図１３】同実施形態に係る刈刃回転体が備える可撓線状刃の繰出し機構を説明するための図であり、（ａ）はボビンが上昇位置にあり、上係止爪と上規制爪との係合状態を示す模式図、（ｂ）はボビンが下降位置にあり、下係止爪と下規制爪との係合可能な状態を示す模式図である。
【図１４】従来の刈刃回転体の一例を示す図であり、（ａ）はボビンが上昇位置にある状態を示す縦断面図、（ｂ）はボビンが下降位置にある状態を示す縦断面図である。
【符号の説明】
【００７３】
１１  刈刃回転体
１２  刈払機
１３  回転軸（回転部）
１４  可撓線状刃
１５  上ケース
１６  下ケース
１７  ボビン
１８  操作部
１８ａ  外筒壁部
１８ｂ  内筒壁部
１９  カバー
２０  ケース本体
２０ａ  上壁部
２０ｂ  外筒壁部
２０ｃ  内筒壁部
２１  第１案内部
２１ａ  第１刃通孔
２２  第２案内部
２２ａ  第２刃通孔
２３  第１ロック片
２４  取付座
２４ａ  軸通孔
２５  底壁部
２５ａ  開口
２６  第１被ロック部
２７  中間壁部
２８  刃巻部
２９  巻付け部
３０  上鍔状部
３１  中鍔状部
３２  下鍔状部
３３  上段部
３４  下段部
３５  傾斜部
３６  係合孔
３７  挿通路
３８  第１挿通路
３９  第２挿通路
４０  案内部
４１  取付孔
４２  連結筒
４３  取付具
４４  繰出し機構
４５  上係止爪
４６  下係止爪
４７  上規制爪
４８  下規制爪
４９  第１ばね
５０  カバー本体
５０ａ  開口
５１  カバー着脱機構
５２  第２ロック片
５３  第２被ロック部
５４  解除部
５５  解除凸部
５６  第２ばね
【図１】
0004533425.tif 000002
【図２】
0004533425.tif 000003
【図３】
0004533425.tif 000004
【図４】
0004533425.tif 000005
【図５】
0004533425.tif 000006
【図６】
0004533425.tif 000007
【図７】
0004533425.tif 000008
【図８】
0004533425.tif 000009
【図９】
0004533425.tif 000010
【図１０】
0004533425.tif 000011
【図１１】
0004533425.tif 000012
【図１２】
0004533425.tif 000013
【図１３】
0004533425.tif 000014
【図１４】
0004533425.tif 000015